(57)【要約】【課題】ＡＦ補助光や赤目軽減光を適切な照射角度で被写体に向けて照射する撮影装置及び補助光ユニットを提供する。【解決手段】ＬＥＤ２３から発光される光をレンズ２２に透過させて、ＡＦ補助光に用いる。ＬＥＤ２３の近傍に、測距センサによって測定された被写体までの距離に基づいて駆動される駆動モータ２５を備えた駆動部２６を設ける。駆動モータ２５が駆動すると、ＬＥＤ２３が動かされ、ＬＥＤ２３とレンズ２２との間隔が変化し、ＡＦ補助光の照射角度が変更される。【選択図】        図３
2006227316.tif 000002
【特許請求の範囲】
【請求項１】
オートフォーカス時又は／及びストロボ発光直前時に光源から発光される光をレンズを通して被写体に照射する補助光ユニットを備えた撮影装置において、
被写体までの距離を測定する測距手段と、
この測距手段からの測距情報に基づいて補助光ユニットのレンズと光源との間隔を変更することにより補助光ユニットから被写体に向けて照射される光の照射角度を変更する照射角度変更手段と、
を設けたことを特徴とする撮影装置。
【請求項２】
オートフォーカス時及びストロボ発光直前時に光源から発光される光をレンズを通して被写体に照射する補助光ユニットを備えた撮影装置において、
被写体までの距離を測定する測距手段と、
この測距手段からの測距情報に基づいて補助光ユニットのレンズと光源との間隔を変更することにより補助光ユニットから被写体に向けて照射される光の照射角度を変更する照射角度変更手段と、
前記ストロボ発光直前時には、オートフォーカス時よりも光の照射角度が広くなるように、前記照射角度変更手段を制御する制御手段と、
を設けたことを特徴とする撮影装置。
【請求項３】
撮影用のズームレンズと、撮影用のフォーカスレンズと、オートフォーカス時又は／及びストロボ発光直前時に光源から発光される光をレンズを通して被写体に照射する補助光ユニットとを備えた撮影装置において、
前記ズームレンズの変倍情報を取得するズーム位置検出手段と、
前記フォーカスレンズの合焦情報を取得するフォーカス位置検出手段と、
ズームレンズの変倍情報とフォーカスレンズの合焦情報に基づいて補助光ユニットのレンズと光源との間隔を変更することにより補助光ユニットから被写体に向けて照射される光の照射角度を変更する照射角度変更手段と、
を設けたことを特徴とする撮影装置。
【請求項４】
撮影用のズームレンズと、撮影用のフォーカスレンズと、オートフォーカス時及びストロボ発光直前時に光源から発光される光をレンズを通して被写体に照射する補助光ユニットとを備えた撮影装置において、
前記ズームレンズの変倍情報を取得するズーム位置検出手段と、
前記フォーカスレンズの合焦情報を取得するフォーカス位置検出手段と、
ズームレンズの変倍情報とフォーカスレンズの合焦情報に基づいて補助光ユニットのレンズと光源との間隔を変更することにより補助光ユニットから被写体に向けて照射される光の照射角度を変更する照射角度変更手段と、
前記ストロボ発光直前時には、オートフォーカス時よりも光の照射角度が広くなるように、前記照射角度変更手段を制御する制御手段と、
を設けたことを特徴とする撮影装置。
【請求項５】
オートフォーカス時又は／及びストロボ発光直前時に光源から発光される光をレンズを通して被写体に照射する補助光ユニットを備えた撮影装置において、
補助光ユニットのレンズと光源との間隔を変更することにより補助光ユニットから被写体に向けて照射される光の照射角度を変更する照射角度変更手段と、
前記照射角度変更手段を操作するのに手動操作される操作手段と、
を設けたことを特徴とする撮影装置。
【請求項６】
オートフォーカス時又は／及びストロボ発光直前時に光源から発光される光をレンズを通して被写体に照射する補助光ユニットを備えた撮影装置において、
補助光ユニットのレンズと光源との間隔を変更することにより補助光ユニットから被写体に向けて照射される光の照射角度を変更する照射角度変更手段と、
前記照射角度変更手段を操作するのに手動操作される操作手段と、
前記ストロボ発光直前時には、オートフォーカス時よりも光の照射角度が広くなるように、前記照射角度変更手段を制御する制御手段と、
を設けたことを特徴とする撮影装置。
【請求項７】
前記照射角度変更手段は、前記レンズ又は光源のいずれか一方をレンズ光軸方向に移動させることを特徴とする請求項１ないし６いずれか記載の撮影装置。
【請求項８】
オートフォーカス時又は／及びストロボ発光直前時に光源から発光される光をレンズを通して被写体に照射する補助光ユニットにおいて、
レンズと光源との間隔を変更することにより被写体に向けて照射される光の照射角度を変更する照射角度変更手段を設けたことを特徴とする補助光ユニット。
【請求項９】
前記照射角度変更手段は、前記レンズ又は光源のいずれか一方をレンズ光軸方向に移動させることを特徴とする請求項８記載の補助光ユニット。
【発明の詳細な説明】
【技術分野】
【０００１】
本発明は、オートフォーカス撮影時の被写体輝度が低い場合にオートフォーカス検出領域を照射するオートフォーカス（ＡＦ）用補助光源やストロボ撮影時の赤目現象を軽減する赤目軽減機能を持つ赤目軽減用光源を備えた撮影装置及び補助光ユニットに関するものである。
【背景技術】
【０００２】
オートフォーカス機能を有する撮影装置において、例えば暗い場所でのオートフォーカス機能を有効にするために、オートフォーカス動作中にＡＦ補助光用光源としてのＬＥＤやランプを発光させ、これによってオートフォーカス検出領域を照射するように構成したものが従来から知られている。また、ストロボ撮影が可能な撮影装置において、ストロボ光を発光させる直前に赤目現象軽減用ランプ（以下、赤目軽減ランプ）によるランプ照射を行い、被写体の瞳孔を収縮させるようにした構造を採用したものが知られている。ＡＦ補助光は、オートフォーカス時の検出領域のみを照射するのに対し、赤目軽減ランプからの照射される赤目軽減光は、撮影画面内の全ての領域を照射する必要がある。
【０００３】
撮影装置の中には、ストロボ発光部をポップダウン及びポップアップさせることで、一つの光源から放出される光に二通りの照射角度をもたせ、ＡＦ補助光と、赤目軽減光とに使い分けるものがある（特許文献１参照）。
【０００４】
光源から発光される光がＡＦ補助光に用いられるときには、ストロボ発光部がポップダウンした状態で、オートフォーカス検出領域のみを照射する照射角度の狭い光が被写体に向けて照射される。光源から発光される光が赤目軽減光に用いられるときには、ストロボ光の発光の直前にストロボ発光部がポップアップした状態で、撮影画面内の全ての領域を照射する照射角度の広い光が被写体に向けて照射される。
【０００５】
【特許文献１】特開平９−００５８４３号公報
【発明の開示】
【発明が解決しようとする課題】
【０００６】
しかしながら、上記記載の撮影装置では、ＡＦ補助光の照射角度と、赤目軽減光の照射角度とがそれぞれ固定されているために、被写体までの距離によっては、ＡＦ補助光が被写体に到達しないことによりオートフォーカスのピント合わせが正確に行われなかったり、赤目軽減光が撮影画面全体に照射されない場合がある。
【０００７】
本発明は、上記問題を考慮してなされたもので、ＡＦ補助光や赤目軽減光を適切な照射角度で照射できる撮影装置及び補助光ユニットを提供することを目的とする。
【課題を解決するための手段】
【０００８】
上記課題を解決するために本発明の補助光ユニットは、オートフォーカス時又は／及びストロボ発光直前時に光源から発光される光をレンズを通して被写体に照射する補助光ユニットを備えた撮影装置において、被写体までの距離を測定する測距手段と、この測距手段からの測距情報に基づいて補助光ユニットのレンズと光源との間隔を変更することにより補助光ユニットから被写体に向けて照射される光の照射角度を変更する照射角度変更手段とを設けたことを特徴とする。
【０００９】
また、オートフォーカス時及びストロボ発光直前時に光源から発光される光をレンズを通して被写体に照射する補助光ユニットを備えた撮影装置において、被写体までの距離を測定する測距手段と、この測距手段からの測距情報に基づいて補助光ユニットのレンズと光源との間隔を変更することにより補助光ユニットから被写体に向けて照射される光の照射角度を変更する照射角度変更手段と、前記ストロボ発光直前時には、オートフォーカス時よりも光の照射角度が広くなるように、前記照射角度変更手段を制御する制御手段とを設けたことを特徴とする。
【００１０】
また、撮影用のズームレンズと、撮影用のフォーカスレンズと、オートフォーカス時又は／及びストロボ発光直前時に光源から発光される光をレンズを通して被写体に照射する補助光ユニットとを備えた撮影装置において、前記ズームレンズの変倍情報を取得するズーム位置検出手段と、前記フォーカスレンズの合焦情報を取得するフォーカス位置検出手段と、ズームレンズの変倍情報とフォーカスレンズの合焦情報に基づいて補助光ユニットのレンズと光源との間隔を変更することにより補助光ユニットから被写体に向けて照射される光の照射角度を変更する照射角度変更手段とを設けたことを特徴とする。
【００１１】
また、撮影用のズームレンズと、撮影用のフォーカスレンズと、オートフォーカス時及びストロボ発光直前時に光源から発光される光をレンズを通して被写体に照射する補助光ユニットとを備えた撮影装置において、前記ズームレンズの変倍情報を取得するズーム位置検出手段と、前記フォーカスレンズの合焦情報を取得するフォーカス位置検出手段と、
ズームレンズの変倍情報とフォーカスレンズの合焦情報に基づいて補助光ユニットのレンズと光源との間隔を変更することにより補助光ユニットから被写体に向けて照射される光の照射角度を変更する照射角度変更手段と、前記ストロボ発光直前時には、オートフォーカス時よりも光の照射角度が広くなるように、前記照射角度変更手段を制御する制御手段とを設けたことを特徴とする。
【００１２】
また、オートフォーカス時又は／及びストロボ発光直前時に光源から発光される光をレンズを通して被写体に照射する補助光ユニットを備えた撮影装置において、補助光ユニットのレンズと光源との間隔を変更することにより補助光ユニットから被写体に向けて照射される光の照射角度を変更する照射角度変更手段と、前記照射角度変更手段を操作するのに手動操作される操作手段とを設けたことを特徴とする。
【００１３】
また、オートフォーカス時又は／及びストロボ発光直前時に光源から発光される光をレンズを通して被写体に照射する補助光ユニットを備えた撮影装置において、補助光ユニットのレンズと光源との間隔を変更することにより補助光ユニットから被写体に向けて照射される光の照射角度を変更する照射角度変更手段と、前記照射角度変更手段を操作するのに手動操作される操作手段と、前記ストロボ発光直前時には、オートフォーカス時よりも光の照射角度が広くなるように、前記照射角度変更手段を制御する制御手段とを設けたことを特徴とする。
【００１４】
本発明の補助光ユニットは、オートフォーカス時又は／及びストロボ発光直前時に光源から発光される光をレンズを通して被写体に照射する補助光ユニットにおいて、レンズと光源との間隔を変更することにより被写体に向けて照射される光の照射角度を変更する照射角度変更手段を設けたことを特徴とする。
【００１５】
前記照射角度変更手段は、前記レンズ又は光源のいずれか一方をレンズ光軸方向に移動させることを特徴とする。
【発明の効果】
【００１６】
本発明の撮影装置によれば、測距手段によって測定された被写体までの距離に基づいて照射角度変更手段が光源やレンズを動かしてレンズと光源との距離を変化させることで、光源から発光される光をＡＦ補助光用に適した照射角度で照射できる。
【００１７】
また、測距手段によって測定された被写体までの距離に基づいて照射角度変更手段が光源やレンズを動かしてレンズと光源との距離を変化させることで、光源から発光される光をオートフォーカス時のＡＦ補助光用に適した照射角度で照射でき、さらに、ストロボ発光直前時に光源から発光される光は、オートフォーカス時に光源から発光される光よりも照射角度が広くなるように前記照射角度変更手段が前記制御手段によって制御されるので、ストロボ光発光直前時の光源からの発光は、オートフォーカス時に光源から発光される光よりも広い範囲を照射できる。
【００１８】
また、ＡＦ終了後にズーム位置検出手段とフォーカス位置検出手段から取得されたズームレンズ変倍情報とフォーカス合焦情報に基づいて照射角度変更手段が光源やレンズを動かしてレンズと光源との距離を変化させることで、光源から発光される光を赤目軽減光用に適した照射角度で照射できる。
【００１９】
また、ＡＦ終了後にズーム位置検出手段とフォーカス位置検出手段から取得されたズームレンズ変倍情報とフォーカス合焦情報に基づいて照射角度変更手段が光源やレンズを動かしてレンズと光源との距離を変化させることで、光源から発光される光を赤目軽減光用に適した照射角度で照射でき、さらに、ストロボ発光直前時に光源から発光される光は、オートフォーカス時に光源から発光される光よりも照射角度が広くなるように前記照射角度変更手段が前記制御手段によって制御されるので、ストロボ光発光直前時の光源からの発光は、オートフォーカス時に光源から発光される光よりも広い範囲を照射できる。
【００２０】
また、補助光ユニットのレンズと光源との間隔を変更することにより補助光ユニットから被写体に向けて照射される光の照射角度を変更する照射角度変更手段を操作手段によって手動操作して補助光ユニットのレンズと光源との間隔を変更することで、補助光ユニットから被写体に向けて照射される光の照射角度を撮影者が任意に調節できる。
【００２１】
また、補助光ユニットのレンズと光源との間隔を変更することにより補助光ユニットから被写体に向けて照射される光の照射角度を変更する照射角度変更手段を操作手段によって手動操作して補助光ユニットのレンズと光源との間隔を変更することで、補助光ユニットから被写体に向けて照射される光の照射角度を撮影者が任意に調節でき、さらに、ストロボ発光直前時に光源から発光される光は、オートフォーカス時に光源から発光される光よりも照射角度が広くなるように前記照射角度変更手段が前記制御手段によって制御されるので、ストロボ光発光直前時の光源からの発光は、オートフォーカス時に光源から発光される光よりも広い範囲を照射できる。
【００２２】
本発明の補助光ユニットによれば、照射角度変更手段がレンズや光源を動かしてレンズと光源との間隔を変化させることで、光源から発光される光の照射角度を変えることができる。
【発明を実施するための最良の形態】
【００２３】
本発明の第１実施形態を示す図１において、撮影装置であるデジタルカメラ２の前面には、撮影レンズ５、ファインダ窓７、ストロボ発光部８、補助光発光窓１０、調光センサ１１、測距センサ１２が設けられ、カメラ上面には、シャッタボタン１５及び電源スイッチ１６が配設されている。また、左手側のカメラ側面には、メモリカード１８を装着するためのカードスロット１９が設けられている。このカードスロット１９は、防塵用の蓋２０によって開閉自在に閉じられる。なお、本実施形態のストロボ発光部８は、一般的に普及しているストロボ放電管としてクセノン管を使用したものである。
【００２４】
補助光発光窓１０の背後には、補助光ユニット２１が設けられている。この補助光ユニット２１には、両面が凸形状をしたレンズ２２（図３参照）と、コントラスト検出方式のＡＦを行う際に補助光（ＡＦ補助光）を発光する光源であるＬＥＤ２３（図３参照）と、ＬＥＤ２３と一体に取り付けられたプリント基板２４（図３参照）と、駆動モータ２５（図３参照）を備えた駆動部２６（図３参照）とが設けられている。なお、ＬＥＤ２３から発光される光は、レンズ２２を通って補助光ユニット２１の外に出射される。
【００２５】
駆動部２６は、駆動モータ２５を駆動させてプリント基板２４とともにＬＥＤ２３をレンズ２２の光軸方向に動かし、ＬＥＤ２３とレンズ２２との間隔を変化させる。
【００２６】
ＬＥＤ２３とレンズ２２との間隔が変化すると、図３に示すように、ＡＦ補助光の照射角度が変更される。ＬＥＤ２３がレンズ２２に近づくと、ＡＦ補助光の照射角度が広くなって、照射範囲が広くなる。また、ＬＥＤ２３がレンズ２２から遠ざかると、ＡＦ補助光の照射角度が狭くなって、照射範囲が狭くなる。
【００２７】
撮影レンズ５にはズームレンズが適用され、撮影レンズ５の後方にＣＣＤイメージセンサ（以下ＣＣＤという）２７（図４参照）が配置されている。シャッタボタン１５は２段階式に構成され、シャッタボタン１５を軽く押して止める「半押し」の状態でＡＦ及び自動露出制御（ＡＥ）が作動してＡＦとＡＥをロックし、「半押し」から更に押し込む「全押し」の状態で撮影が実行される。
【００２８】
調光センサ１１は、被写体で反射したストロボ光を受光して光電信号に変換し、その光電信号を調光回路に送る。調光回路は、送られてくる光電信号に基づいてストロボ光量を積分して、受光量が予め設定された所定値に達したときにストロボ光の発光を停止させる。
【００２９】
測距センサ１２は、測距用の投光レンズと受光レンズとが組み込まれている。投光レンズからは、被写体に向かって近赤外光が投光される。その反射光が受光レンズに入射すると、その奥に設けられているＰＳＤ(Position Sensing Device)が受光し、その受光位置に応じた光電信号が得られる。この光電信号は被写体までの距離に対応した値であるから、被写体までの距離信号として用いられ、後述するＣＰＵ２８（図４参照）に出力される。
【００３０】
電源スイッチ１６は、モード切換スイッチと兼用されており、電源ＯＦＦとなる「ＯＦＦ位置」、静止画撮影モードで電源ＯＮとなる「撮影ＯＮ位置」、及び再生モードで電源ＯＮとなる「再生ＯＮ位置」の３ポジションを切り換えることができる。
【００３１】
デジタルカメラ２の背面側の外観を示す図２において、デジタルカメラ２の背面には、ファインダ２９、液晶モニタ３０、ズームスイッチ３２、多機能の十字ボタン３４、ＡＥロックボタン３６、メニューキー３８、実行キー４０及びキャンセルキー４２が設けられている。液晶モニタ３０は、撮影時に画角確認用の電子ファインダとして使用できるとともに、撮影した画像のプレビュー画やメモリカード１８から読み出した再生画像等を表示可能な表示手段である。また、十字ボタン３４を使用したメニューの選択や各メニューにおける各種項目の設定なども液晶モニタ３０の表示画面を用いて行われる。
【００３２】
ズームスイッチ３２は、上下方向に操作可能なレバースイッチで構成され、これを上方向に操作することで望遠（TELE）方向にズーミングを行い、下方向に操作することで広角（WIDE）方向にズーミングを行う。十字ボタン３４は、上下左右のいずれかの縁部を押圧することによって、対応する４方向（上、下、左、右）の指示を入力できるようにしたもので、メニュー画面における各種設定項目の選択や設定内容の変更を指示する操作ボタンとして使用されるとともに、電子ズームの倍率調整や再生コマの送り／戻しを指示する手段として用いられる。
【００３３】
メニューキー３８は、各モードの通常画面からメニュー画面へ遷移させる時に使用される。実行キー４０は、選択内容の確定、処理の実行（確認）指示の時などに使用される。キャンセルキー４２は、メニューから選んだ項目の取消（キャンセル）や一つ前の操作状態に戻る時などに使用される。
【００３４】
撮影者は、ファインダ２９又は液晶モニタ３０に映し出されるリアルタイム画像（スルー画）を確認しながら、ズームスイッチ３２を操作して画角を決定し、シャッタボタン１５を押し下げて撮影を行う。
【００３５】
デジタルカメラ２の電気的構成を示す図４において、撮影レンズ５は、固定レンズ４４、変倍レンズ４６ａ、補正レンズ４６ｂ及びフォーカスレンズ４８の４群型インナーフォーカス式ズームレンズで構成されている。
【００３６】
変倍レンズ４６ａと補正レンズ４６ｂは、図示せぬカム機構によって両者の位置関係が規制されながら光軸に沿って移動し、焦点距離を変更する。なお、説明の便宜上、変倍レンズ４６ａと補正レンズ４６ｂから成る変倍光学系を「ズームレンズ４６」と呼ぶ。
【００３７】
撮影レンズ５を通過した光は、絞り５０により光量が調節された後、ＣＣＤ２７に入射する。ＣＣＤ２７には、その光電面上に赤色（Ｒ），緑色（Ｇ），青色（Ｂ）の微小なマイクロカラーフィルタがマトリクス状に配列され、その背後にそれぞれＭＯＳダイオード（ＭＯＳキャパシタとも呼ばれる）が配置されている。
【００３８】
各ＭＯＳダイオードに蓄積された信号電荷は、ＣＣＤドライバ５４から与えられるパルスに基づいて信号電荷に応じたＲＧＢ各色の輝度情報を有する電圧信号（画像信号）として順次読み出される。なお、ＣＣＤ２７は、シャッタゲートパルスのタイミングによって各ＭＯＳダイオードの電荷蓄積時間（シャッタスピード）を制御する、いわゆる電子シャッタ機能を有している。
【００３９】
ＣＣＤ２７から出力された画像信号は、アナログ処理部５６に送られる。アナログ処理部５６は、サンプリングホールド回路、色分離回路、ゲイン調整回路等の信号処理回路を含み、このアナログ処理部５６において、相関二重サンプリング（ＣＤＳ）処理並びにＲ，Ｇ，Ｂの各色信号に色分離処理され、各色信号の信号レベルの調整（プリホワイトバランス処理）が行われる。
【００４０】
アナログ処理部５６から出力された信号は、Ａ／Ｄ変換器５８によりデジタル信号に変換された後、メモリ６０に格納される。タイミングジェネレータ（ＴＧ）６２は、ＣＰＵ２８の指令に従ってＣＣＤドライバ５４、アナログ処理部５６及びＡ／Ｄ変換器５８に対してタイミング信号を与えており、このタイミング信号によって各回路の同期がとられている。
【００４１】
メモリ６０に格納されたデータは、バス６６を介して信号処理部６８に送られる。信号処理部６８は、輝度・色差信号生成回路、ガンマ補正回路、シャープネス補正回路、コントラスト補正回路、ホワイトバランス補正回路等を含むデジタルシグナルプロセッサ（ＤＳＰ）で構成された画像処理手段であり、ＣＰＵ２８からのコマンドに従って画像信号を処理する。
【００４２】
信号処理部６８に入力された画像データは、輝度信号及び色差信号に変換されるとともに、ガンマ補正等の所定の処理が施された後、メモリ６０に格納される。撮影画像を表示出力する場合、メモリ６０から画像データが読み出され、表示用メモリ７０に転送される。表示用メモリ７０に記憶されたデータは、表示用の所定方式の信号（例えば、ＮＴＳＣ方式のカラー複合映像信号）に変換された後、Ｄ／Ａ変換器７２を介して液晶モニタ（ＬＣＤ）３０に出力される。こうして、前記画像データの画像内容が液晶モニタ３０の画面上に表示される。
【００４３】
ＣＣＤ２７から出力される画像信号によってメモリ６０内の画像データが定期的に書き換えられ、その画像データから生成される映像信号が液晶モニタ３０に供給されることにより、ＣＣＤ２７を介して入力する画像がリアルタイムに液晶モニタ３０に表示される。撮影者は、液晶モニタ３０に映し出される画像（スルー画）、或いは光学式のファインダ２９によって撮影画角を確認することができる。
【００４４】
撮影者がズームスイッチ３２を操作すると、その指示信号がＣＰＵ２８に入力され、ＣＰＵ２８はズームスイッチ３２からの信号に基づいてズーム駆動部７４を制御してズームレンズ４６をテレ（TELE）方向又はワイド（WIDE）方向に移動させる。ズーム駆動部７４は図示せぬモータを含み、このモータの駆動力によってズームレンズ４６が駆動される。ズームレンズ４６の位置（ズーム位置）は、ズーム位置センサ７６によって検出され、この検出信号はズームレンズ４６の変倍情報としてＣＰＵ２８に入力される。
【００４５】
同様に、フォーカス駆動部７８は図示せぬモータを含み、このモータの駆動力によってフォーカスレンズ４８が光軸に沿って前後動する。フォーカスレンズ４８の位置（フォーカス位置）は、フォーカス位置センサ８０によって検出され、このセンサ８０の検出信号はフォーカスレンズ４８の合焦情報としてＣＰＵ２８に入力される。
【００４６】
電源スイッチ１６によって静止画撮影モードが設定され、シャッタボタン１５が半押しされると、撮像準備処理が開始され、測距センサ１２からの被写体までの距離に対応したが光電信号がＣＰＵ２８に入力される。ＣＰＵ２８は、ＡＦ補助光用のＬＥＤ２３を発光させるか否かの判断をし、必要に応じて駆動モータ２５に測距センサ１２からの光電信号に基づいたコマンドを送ってＬＥＤ２３を動かすとともに、ＬＥＤ制御回路８１にコマンドを送ってＡＦ補助光用のＬＥＤ２３の発光を制御する。また、ＣＰＵ２８は後述する評価値演算の結果に基づいてフォーカス駆動部７８を制御してフォーカスレンズ４８を合焦位置に移動させ、絞り５０の開口径やＣＣＤ２７の電子シャッタを制御することにより露出制御を行う。
【００４７】
シャッタボタン１５が全押しされると、ＣＰＵ２８は、記録用の撮像を実行をする。ＣＰＵ２８は、必要に応じてストロボ装置８２にコマンドを送ってストロボ発光部８からストロボ光を発光する。
【００４８】
こうして、シャッタボタン１５の全押し操作に応動して、記録用の画像データの取り込みが開始される。画像データを圧縮記録するモードが選択されている場合、ＣＰＵ２８は圧縮伸張回路８４にコマンドを送る。圧縮伸張回路８４は、メモリ６０に取り込まれた画像データをＪＰＥＧその他の所定の形式に従って圧縮する。
【００４９】
圧縮された画像データは、カードインターフェース８６を介してメモリカード１８に記録される。非圧縮の画像データを記録するモード（非圧縮モード）が選択されている場合には、圧縮伸張回路８４による圧縮処理は省略され、非圧縮のまま画像データがメモリカード１８に記録される。
【００５０】
電源スイッチ１６によって再生モードが設定されると、メモリカード１８から画像ファイルが読み出される。読み出された画像データは、必要に応じて圧縮伸張回路８４によって伸張処理され、表示用メモリ７０を介して液晶モニタ３０に出力される。
【００５１】
ＣＰＵ２８は、本カメラシステムの各回路を統括制御する制御部である。ＣＰＵ２８は、電源スイッチ１６、シャッタボタン１５、ズームスイッチ３２等から構成される操作部８７から受入する入力信号に基づき、対応する回路の動作を制御するとともに、ストロボ制御、液晶モニタ３０における表示制御、ＡＦ制御及び自動露出（ＡＥ）制御等を行う。
【００５２】
ここでオートフォーカス制御について説明する。晴天の屋外で撮影する時など被写体に十分なコントラストがあるため自然光によってピント調節を行い得る場合には、ＡＦ補助光用のＬＥＤ２３は発光されない。
【００５３】
また、夕方や屋内では、被写体のコントラストが低下するため、自然光によるピント合せができ難くなるから、ＣＰＵ２８は、被写体の輝度値が所定の値以下になると、ＡＦ補助光用にＬＥＤ２３の発光が必要と判断する。このとき、ＣＰＵ２８は、測距センサ１２から入力された光電信号に基づいたコマンドを駆動部２６に送り、駆動モータ２５を駆動させてＬＥＤ２３を動かし、ＬＥＤ２３から放出された光を被写体までの距離に応じた照射角度に変化させる。また、ＣＰＵ２８は、ＡＦ動作時にコマンドをＬＥＤ制御回路８１に送り、ＬＥＤ２３からＡＦ補助光を発光させる。
【００５４】
ＬＥＤ制御回路８１には、電源電池の電圧を昇圧する電圧アップコンバータ，この昇圧された電圧により充電されるコンデンサ等が設けられており、ＣＰＵ２８からのコマンドによって、コンデンサからＬＥＤ２３に高圧の電流が所定時間流され、ＬＥＤ２３が発光する。このＬＥＤ２３としては、高輝度タイプのものが使用される。
【００５５】
Ａ／Ｄ変換器５８によってデジタル信号に変換された画像信号は、評価値演算部８８に入力される。評価値演算部８８は、高周波成分抽出回路２２と積算回路９２とを有し、入力される画像信号をサンプリングし、ＡＦ検出対象エリア（以下フォーカスエリアという）内での高周波成分を抽出するとともにその絶対値をとり、フォーカスエリア内で絶対値データを積算して得られた値（以下評価値という）をＣＰＵ２８に提供する。
【００５６】
ＡＦ動作時にＣＰＵ２８は、フォーカスレンズ４８を焦点調節領域内で至近から無限遠（又は無限遠から至近）の方向に移動させながら、複数のＡＦ検出ポイント（サーチポイント）で画像中央部分のコントラストを検出し、サーチポイントごとに評価値を算出する。そして、各ポイントで算出された評価値を総合して、評価値が最大となるレンズ位置を合焦位置として決定し、求めた合焦位置にフォーカスレンズ４８を移動させるようにフォーカス駆動部７８を制御する。
【００５７】
次に、このように構成されたデジタルカメラで、静止画の撮影を行う場合について図５に示すフローチャートを用いて説明する。このように構成されたデジタルカメラ２を使用するには、まず電源スイッチ１６を操作してデジタルカメラ２の電源をオンにするとともに、静止画撮影モードにセットする。電源がオンになると、ＬＥＤ制御回路８１に内蔵されたコンデンサの充電が開始される。そして、シャッタボタン１５を半押しすると、ＣＰＵ２８に測距センサ１２から被写体までの距離に対応した光電信号が入力される。また、ＣＰＵ２８は、被写体輝度（撮影ＥＶ値）が所定の値以下になると、ＡＦ補助光の発光が必要と判断し、前記光電信号に基づいたコマンドを駆動部２６に送って駆動モータ２５を駆動して、ＬＥＤ２３を動かす。その後、ＬＥＤ制御回路８１にコマンドを送り、ＬＥＤ２３からＡＦ補助光を発光させる。
【００５８】
その後、ＣＰＵ２８によって、撮影時の絞り値とシャッタスピードを決め、これに基づいて絞り５０と電子シャッタを制御するＡＥ制御と、フォーカスレンズ４８を合焦位置に移動させるＡＦ制御とが行われる。
【００５９】
ＡＦ制御では、ＣＣＤ２７のフォーカスエリアから評価値を求めるための画像信号を取り込み、その後、フォーカスレンズ４８を所定量移動させるためにフォーカスモータを駆動する。フォーカスレンズ４８が次のサーチポイントに移動すると、必要に応じてＡＦ補助光を発光させ、ＣＣＤ２７から画像信号を取り込む。フォーカスレンズ４８を焦点調節領域内で至近から無限遠（又は無限遠から至近）の方向に移動させながら、各サーチポイントごとに必要に応じてＡＦ補助光を発光させ、ＣＣＤ２７から画像信号を取り込む。前記ＡＦ補助光の照射角度は、被写体距離に応じて変更されるから、評価用として有効な画像信号を得ることができる。各サーチポイントでの画像信号に基づく評価値が算出されると、その算出された評価値を総合して、評価値が最大となるレンズ位置を合焦位置として算出し、求めた合焦位置にフォーカスレンズ４８を移動させ、ＡＦ動作を終了する。
【００６０】
その後、シャッタボタン１５が全押しされると、撮影が実行され、必要に応じてストロボ発光部８からストロボ光が発光される。被写体からの反射光を調光センサ１１が検知して所定光量に達した際にストロボ装置８２がストロボ光の発光を停止する。ＣＣＤ２７から出力された画像信号がアナログ信号処理部５６，Ａ／Ｄ変換器５８を経て、画像データとしてメモリ６０に取り込まれ、圧縮伸張回路８４で所定の形式に圧縮された後、カードインターフェース８６を介してメモリカード１８に記録される。
【００６１】
上記実施形態では、ＡＦ補助光の照射角度の変更について説明したが、次の第２実施形態では、ストロボ光の発光の直前に発光される赤目軽減光の照射角度の変更について説明する。ＬＥＤ２３から発光される光は、ストロボ光の発光直前に瞬間的に発光して赤目現象を軽減する赤目軽減光に用いられる。駆動部２６は、ＣＰＵ２８からコマンドが入力されると、駆動モータ２５を駆動させ、プリント基板２４とともにＬＥＤ２３を動かし、ＬＥＤ２３とレンズ２２との間隔を変化させる。前記コマンドは、ＡＦ終了後にフォーカス位置センサ８０及びズーム位置センサ７６によって検出されたフォーカス位置及びズーム位置に基づいてＬＥＤ２３から発光される光を赤目軽減光用として最適な配光になるように駆動モータを制御する制御信号で、実験又は、シミュレーションによって決められている。
【００６２】
ＬＥＤ２３とレンズ２２との間隔が変化すると、撮影画角内の全ての領域を照射するように赤目軽減光の照射角度が変更される。ＬＥＤ２３がレンズ２２に近づくと、赤目軽減光の照射角度が広くなって、照射範囲が広くなる。また、ＬＥＤ２３がレンズ２２から遠ざかると、赤目軽減光の照射角度が狭くなって、照射範囲が狭くなる。
【００６３】
次に、上記実施形態の作用について図６に示すフローチャートを用いて説明する。デジタルカメラ２を使用するには、まず電源スイッチ１６を操作してデジタルカメラ２の電源をオンにするとともに、静止画撮影モードにセットする。電源がオンになると、ＬＥＤ制御回路８１に内蔵されたコンデンサの充電が開始される。シャッタボタン１５を半押しし、ＡＥ，ＡＦ動作終了後、必要に応じてストロボ光の発光準備が行われる。ストロボ光の発光準備が行われるときには、ストロボ光の発光の直前に赤目軽減光用にＬＥＤ２３を発光させるか否か判断する。ＬＥＤ２３が発光するときには、ＣＰＵ２８は、ズーム位置センサ７６及びフォーカス位置センサ８０から入力された検出信号に基づくコマンドを駆動部２６送って駆動モータ２５を駆動して、ＬＥＤ２３からの赤目軽減光が撮影画面内の全ての領域を照射する照射角度をもつようにＬＥＤ２３を動かす。その後、シャッタボタン１５を全押しすると、ＬＥＤ２３からの赤目軽減光の発光の直後にストロボ光の発光が行われ、ＣＣＤ２７から出力された画像信号が所定の流れを経てメモリカード２２に記録される。ストロボ光の発光を行われないときには、シャッタボタン１５全押し後に、ＣＣＤ２７から出力された画像信号が所定の流れを経てメモリカード２２に記録される。
【００６４】
上記実施形態では、駆動モータは、ＣＰＵから入力されたコマンドによって駆動していたが、手動操作で駆動させてもよい。本発明の第３実施形態を示す撮影装置であるデジタルカメラ９７を示す図７において、カメラ上面には、駆動部操作ダイヤル９８が設けられている。この駆動部操作ダイヤル９８を回動操作すると、後述する駆動モータ９９が駆動する。また、駆動部操作ダイヤル９８には、回動操作時の操作の目安となる目盛りが付けられている。なお、本実施形態では、上記実施形態と同じ部材には同じ符号を付して説明を省略する。
【００６５】
デジタルカメラ９７の電気的構成を示す図８において、補助光発光窓１０の背後には、補助光ユニット１０３が設けられている。補助光ユニット１０３には、両面が凸形状をしたレンズ１０４と、ＡＦ補助光用及び赤目軽減光用に発光する光源であるＬＥＤ１０５（図９参照）と、ＬＥＤ１０５と一体に取り付けられたプリント基板（図示せず）と、駆動モータ９９を備えた駆動部１００とが設けられている。なお、ＬＥＤ１０５から発光される光は、レンズ１０４に透過されてから被写体に照射される。
【００６６】
駆動モータ９９は、操作ダイヤル９８の回動操作並びに駆動部１００にＣＰＵ２８からのコマンドが入力されると駆動する。駆動モータ９９が駆動すると、ＬＥＤ１０５が動かされ、レンズ１０４とＬＥＤ１０５との間隔が変化する。これにより、被写体に向けて照射されるＬＥＤ１０５から発光される光の照射角度が変更される。
【００６７】
ＬＥＤ１０５がレンズ１０４に近づくと、ＬＥＤ１０５から発光される光の照射角度が広くなって、照射範囲が広くなる。また、ＬＥＤ１０５がレンズ１０４から遠ざかると、ＬＥＤ１０５から発光される光の照射角度が狭くなって、照射範囲が狭くなる。
【００６８】
ＣＰＵ２８は、赤目軽減光が発光するときにＬＥＤ１０５をレンズ１０４に近づく方向に動かすコマンドを駆動部１００に送り、赤目軽減光の照射角度をＡＦ補助光よりも広くなるように制御する。
【００６９】
次に、上記実施形態の作用について説明する。デジタルカメラ９７を使用するには、まず電源スイッチ１６を操作してデジタルカメラ９７の電源をオンにするとともに、静止画撮影モードにセットする。電源がオンになると、ＬＥＤ制御回路８１に内蔵されたコンデンサの充電が開始され、被写体輝度が所定以下の場合にはＬＥＤ１０５が発光する。被写体輝度が所定以下のときには、撮影者は、被写体までの距離を推測して駆動部操作ダイヤル９８を回動操作して、駆動部操作ダイヤル９８の目盛りを被写体までの距離に対応する位置に合わせ、ＬＥＤ１０５から発光される光の照射角度を調節する。シャッタボタン１５を半押しすると、ＣＰＵ２８は、撮影時の絞り値とシャッタスピードを決め、これに基づいて絞り５０と電子シャッタを制御するＡＥ制御と、フォーカスレンズ４８を合焦位置に移動させるＡＦ制御とを行い、また、シャッタボタン１５が全押しされたときにストロボ光の発光を行うか否か判断し、ストロボ光の発光を行うときには、駆動部１００に駆動モータ９９を駆動させるコマンドを入力する。駆動モータ９９は、ＬＥＤ１０５をレンズ１０４に近づく方向に動かして、ＡＦ補助光よりも赤目軽減光の照射角度を広くする。
【００７０】
その後、シャッタボタン１５が全押しされると、撮影が実行され、必要に応じてＬＥＤ１０５の発光及びストロボ発光部８からストロボ光が発光される。被写体からの反射光を調光センサ１１が検知して所定光量に達した際にストロボ装置８２がストロボ光の発光を停止する。ＣＣＤ２７から出力された画像信号がアナログ信号処理部５６，Ａ／Ｄ変換器５８を経て、画像データとしてメモリ６０に取り込まれ、圧縮伸張回路８４で所定の形式に圧縮された後、カードインターフェース８６を介してメモリカード１８に記録される。
【００７１】
上記実施形態では、駆動部操作ダイヤル９８は、シャッタボタン１５の半押し操作の前にのみ操作されていたが、シャッタボタン１５の半押し操作後に再操作して、ＬＥＤ１０５から照射される赤目軽減光の照射角度を変更してもよい。
【００７２】
第３実施形態にＡＦ補助光よりも赤目軽減光のほうが広い照射角度になるように制御される旨を記載したが、第１実施形態及び第２実施形態にも適用してもよい。
【００７３】
上記実施形態では、光源から発光される光の照射角度を変更するのに、光源を動かしていたが、レンズを動かしてもよい。また、本発明が適用される撮影装置は、デジタルカメラに限定されることなく、銀塩カメラやカメラ付き携帯電話等でもよい。上記実施形態では、ＡＦ補助光や赤目軽減光用に発光する光源を１個としたが、複数個の光源から構成してもよい。また、光源としては、上記ＬＥＤの他、有機エレクトロルミネセンス、プラズマ発光素子等を適用することができる。上記実施形態では、両面が凸形状をしたレンズを用いたが、本発明はこれに限定されることなく、フレネルレンズなどであってもよい。
【図面の簡単な説明】
【００７４】
【図１】本発明の第１，２実施形態のデジタルカメラの前面斜視図である。
【図２】本発明の第１，２実施形態のデジタルカメラの背面斜視図である。
【図３】ＬＥＤの発光がレンズを透過したときの照射角度を示す図である。
【図４】本発明の第１，２実施形態のデジタルカメラのブロック図である。
【図５】本発明の第１実施形態のフローチャートである。
【図６】本発明の第２実施形態のフローチャートである。
【図７】本発明の第３実施形態のデジタルカメラの外観斜視図である。
【図８】本発明の第３実施形態のデジタルカメラのブロック図である。
【符号の説明】
【００７５】
２，９７  デジタルカメラ
８  ストロボ発光部
１０  補助光発光窓
１１  測距センサ
１５  シャッタボタン
２１，１０３  補助光ユニット
２２，１０４  レンズ
２３，１０５  ＬＥＤ
２５，９９  駆動モータ
２６，１００  駆動部
【図１】
2006227316.tif 000003
【図２】
2006227316.tif 000004
【図３】
2006227316.tif 000005
【図４】
2006227316.tif 000006
【図５】
2006227316.tif 000007
【図６】
2006227316.tif 000008
【図７】
2006227316.tif 000009
【図８】
2006227316.tif 000010